(57)【要約】【課題】監視業務を継続しながら、既設から新設の集中監視装置への切替えをスムーズに、かつ監視する作業員の負担を最小限にできる切替方法及びそれに用いる装置を提供すること。【解決手段】現場装置４と、現場装置４からの故障情報が入力される駅装置５と、該装置５に収集された情報を伝送中央装置７に送る伝送端末装置６と、該装置７に送られた情報を表示する表示端末装置８とを有した既設の集中監視装置１を、現場装置４が端末装置１０である以外は同様な構成の新設の集中監視装置３に切り替える切替方法であって、駅装置５と伝送端末装置６との間に切替装置２を設置し、両方の監視装置１，３を並列に設置すると共に、切替装置２から伝送端末装置６と端末装置１０とに情報を送信可能として、集中監視装置３による現場装置４の監視動作を検証した後に、集中監視装置１の各装置６、７、８を撤去した。【選択図】　　　図１
2004034821.tif 000002
【特許請求の範囲】
【請求項１】
現場装置と、現場装置からの故障情報が入力される駅装置と、駅装置に収集された故障情報を伝送中央装置に送る伝送端末装置と、伝送中央装置に送られた故障情報を表示する表示端末装置とを有し、現場装置の状態を表示端末装置に表示させて現場装置を一元的に監視する既設の集中監視装置を前記現場装置が端末装置である以外は同様な構成となっている新設の集中監視装置に切り替える切替方法であって、
既設の集中監視装置の駅装置と伝送端末装置との間に切替装置を設置し、既設の集中監視装置と並列に新設の集中監視装置を設置するとともに、該集中監視装置の端末装置を切替装置に接続し、前記切替装置から既設の集中監視装置の伝送端末装置と新設の集中監視装置の端末装置に情報を送信可能として、新設の集中監視装置による既設の集中監視装置の現場装置の監視動作を検証した後に、既設の集中監視装置の伝送端末装置、伝送中央装置、表示端末装置を撤去することを特徴とする集中監視装置の切替方法。
【請求項２】
既設の集中監視装置の現場装置に相当する新設の集中監視装置の端末装置を設置し、この端末装置を新設の集中監視装置の駅装置に接続して、その端末装置による監視動作を検証した後に、既設の集中監視装置の現場装置、駅装置及び切替装置を撤去するとともに、この切替装置が接続されていた新設の集中監視装置の端末装置を撤去する請求項１記載の集中監視装置の切替方法。
【請求項３】
請求項１または２記載の集中監視装置の切替方法に用いられるもので、既設の集中監視装置の駅装置と伝送中央装置との間に設けられ、既設用入出力部と新設用入出力部、処理部、駅装置用入出力部を有し、既設の集中監視装置の現場装置から受信した情報を、該装置の駅装置に送信するとともに、新設の集中監視装置の端末装置に、この新設の集中監視装置に必要な情報形式に変換して送信する構成となっていることを特徴とする切替装置。
【請求項４】
切替装置が、既設の集中監視装置の駅装置と新設の集中監視装置の端末装置との両方に情報を送信する第１の動作モードと、新設の集中監視装置の端末装置にのみ情報を送信する第２の動作モードとのいずれかを選択可能に構成されている請求項３記載の切替装置。
【請求項５】
切替装置が、既設の集中監視装置の現場装置からの情報に基づき、該現場装置に故障が発生したことを検知した後に、その故障が回復したことを確認する回復チェックを行なう構成とされている請求項３または４記載の切替装置。
【請求項６】
切替装置が、現場装置の故障が回復したことが確認されたときに、回復状況が記された回復情報を作成して出力する構成とされている請求項５に記載の切替装置。
【発明の詳細な説明】
【０００１】
【発明の属する技術分野】
この発明は、鉄道の運転保安用の信号保安設備に具えられた機器を一元的に監視して管理する集中監視装置が老朽化したときなどに該装置を新規な集中監視装置に切替える切替方法と、この方法に用いる切替装置に関するものである。
【０００２】
【従来の技術】
一般に鉄道には、その軌道上を走行する車両や列車の安全性を確保し、その運転の進路や速度などの運転制御の条件を通知するとともに、輸送効率の向上を目指すために信号保安設備が設けられ、この信号保安設備は、閉そく装置や信号装置、連動装置などの各種の機器群によって構成されている。この信号保安設備には、これらの機器群から故障情報を収集し、各故障情報を指令所などの特定個所に集中させて、一元的に機器群を監視する集中監視装置が設けられている。この集中監視装置によって列車や設備の状況を係員が常時監視して、各種の状況を迅速に把握して総合的に判断することにより、的確な指令や情報が列車や施設などに与えられて、列車の運行が円滑に行なわれている。
【０００３】
この集中監視装置においては、使用している機器や施設が老朽化したり、その性能が陳腐化したりするなどの理由から、従来の集中監視装置を、新規の集中監視装置に置き換える設備の改良・更新工事が行なわれている。このように従来の集中監視装置を切替える場合には、新設された集中監視装置が設備された後に、既設の集中監視用の現場装置に設定されている故障監視条件を、新設用の端末装置に接続変更することにより行なっていた。すなわち、図６に示すように、新旧の集中監視装置１，３が併設され、新設の監視装置３全体の正常な監視動作が検証され確認されてから、実際の監視業務を新設の集中監視装置３に移行するように運用されていた。なお、この既設の集中監視装置１は、現場装置４と、これらの現場装置４からの故障情報を収集する駅装置５と、この駅装置５に収集された情報を伝送中央装置７に送信する伝送端末装置６と、この伝送中央装置７に送られた情報を表示する指令所などに設置された表示端末装置８とを主体に構成され、新設の集中監視装置３は、既設の現場装置４に相当する機器を制御する端末装置１０と、これらの端末装置１０からの故障情報を収集する駅装置１１と、この駅装置１１に収集された情報が転送される伝送中央装置１２と、この伝送中央装置１１に転送された情報を表示する指令所などに設置された表示端末装置１３とを主体に構成されている。
【０００４】
このため、故障を監視する業務が行なわれている指令所においては、この切替中は既設の集中監視用の表示端末装置８と、新設の集中監視用の表示端末装置１３との両方を監視することになり、監視する作業員の負担が大きくなるとともに、故障発生の把握が煩雑になっていた。
【０００５】
この監視業務を継続させるためには、新設用の端末装置１０の接続変更がすべて完了するまで、旧設備の撤去が行なえないことになる。この接続変更は、各端末装置１０が制御する各機器を実際に動作させて各種の調整を行いながら制御情報を得ているので、各端末装置１０毎に時間と手間がかかり、すべての端末装置１０の接続変更が完了するまでには長い期間が掛かっていた。この結果、このような長い期間の接続変更が未了の期間中には、新旧の集中監視装置１，３に関連した両方の設備を同時に保守・点検して維持することになり、監視する作業員の負担が増える面や運用コストの面でも好ましくない。
【０００６】
【発明が解決しようとする課題】
そこでこの発明は、前記のような従来の問題点を解決し、監視業務を継続しながら、既設の集中監視装置から新設の集中監視装置への切替えをスムーズに、かつ監視する作業員の負担を最小限にして行なうことが可能な切替方法をおよびそれに用いる装置を提供することを目的とする。
【０００７】
【課題を解決するための手段】
前記の目的を達成するため、請求項１に記載の発明の方法は、現場装置と、現場装置からの故障情報が入力される駅装置と、駅装置に収集された故障情報を伝送中央装置に送る伝送端末装置と、伝送中央装置に送られた故障情報を表示する表示端末装置とを有し、現場装置の状態を表示端末装置に表示させて現場装置を一元的に監視する既設の集中監視装置を前記現場装置が端末装置である以外は同様な構成となっている新設の集中監視装置に切り替える切替方法であって、既設の集中監視装置の駅装置と伝送端末装置との間に切替装置を設置し、既設の集中監視装置と並列に新設の集中監視装置を設置するとともに、該集中監視装置の端末装置を切替装置に接続し、前記切替装置から既設の集中監視装置の伝送端末装置と新設の集中監視装置の端末装置に情報を送信可能として、新設の集中監視装置による既設の集中監視装置の現場装置の監視動作を検証した後に、既設の集中監視装置の伝送端末装置、伝送中央装置、表示端末装置を撤去することを特徴とする。
【０００８】
請求項２に記載の発明の方法は、請求項１において、既設の集中監視装置の現場装置に相当する新設の集中監視装置の端末装置を設置し、この端末装置を新設の集中監視装置の駅装置に接続して、その端末装置による監視動作を検証した後に、既設の集中監視装置の現場装置、駅装置及び切替装置を撤去するとともに、この切替装置が接続されていた新設の集中監視装置の端末装置を撤去することを特徴とする。
【０００９】
請求項３に記載の発明の装置は、請求項１または２記載の集中監視装置の切替方法に用いられる切替装置であって、既設の集中監視装置の駅装置と伝送中央装置との間に設けられ、既設用入出力部と新設用入出力部、処理部、駅装置用入出力部を有し、既設の集中監視装置の現場装置から受信した情報を、該装置の駅装置に送信するとともに、新設の集中監視装置の端末装置に、この新設の集中監視装置に必要な情報形式に変換して送信する構成となっていることを特徴とする。
【００１０】
請求項４に記載の発明の装置は、請求項３において、切替装置が、既設の集中監視装置の駅装置と新設の集中監視装置の端末装置との両方に情報を送信する第１の動作モードと、新設の集中監視装置の端末装置にのみ情報を送信する第２の動作モードとのいずれかを選択可能に構成されていることを特徴とする。
【００１１】
請求項５に記載の発明の装置は、請求項３または４において、切替装置が、既設の集中監視装置の現場装置からの情報に基づき、該現場装置に故障が発生したことを検知した後に、その故障が回復したことを確認する回復チェックを行なう構成とされていることを特徴とする。
【００１２】
請求項６に記載の発明の装置は、請求項５において、切替装置が、現場装置の故障が回復したことが確認されたときに、回復状況が記された回復情報を作成して出力する構成とされていることを特徴とする。
【００１３】
【発明の実施の形態】
この発明の実施の形態を、添付図面を参照して説明する。図１は、既設の集中監視装置１に切替装置２が設置され、この切替装置２を介して新設の集中監視装置３が接続された第１段階の状態を示すシステム構成図、図２は、切替装置２の概略を示すブロック図である。
【００１４】
すなわち、図１に示すように、この既設の集中監視装置１は、鉄道線路に沿って設置された複数の現場装置４と、これらの現場装置４のうちの所定の一群の現場装置４が接続された駅装置５と、これらの駅装置５が１対１で接続された伝送端末装置６と、これらの伝送端末装置６が接続された伝送中央装置７と、この伝送中央装置７に接続され指令所などに設置された表示端末装置８とを有している。
【００１５】
現場装置４は、信号機、転てつ器、軌道回路などの信号保安設備に各種の異常が生じた場合には、直ちに故障を検知するように構成されている。
【００１６】
駅装置５は、路線の主要な駅に設置され、各駅の駅装置５には、その駅が割当てられた路線区域に設置された複数の現場装置４が接続されている。したがって、この駅装置５に接続された現場装置４が故障を検知した場合には、その現場装置４から直ちに、現場装置４を識別するための情報が駅装置５に出力され、駅装置５に現場装置４の故障情報が収集される。
【００１７】
伝送端末装置６は、各駅装置５毎に設置されて、その一方の入出力部が駅装置５に接続されるとともに、他方の入出力部が比較的に距離が離れた伝送中央装置７に接続されている。この伝送端末装置６は、受信した信号からのノイズ成分の除去機能や通信エラーの訂正機能などを具えた構成とされ、駅装置５と伝送中央装置７との間で所定の通信品質を維持しながら双方向に情報通信を行なえるようにしている。
【００１８】
伝送中央装置７は、指令所またはその近傍に設置され、各駅に設置された複数の伝送端末装置６が専用の伝送回線などを介して接続され、駅装置５に収集された現場装置４の故障情報が転送されている。
【００１９】
表示端末装置８は、指令所に設置され、伝送中央装置７に接続されている。この表示端末装置８は、伝送中央装置７に収集された各種の情報を一括して表示できる表示装置を有している。したがって、この表示装置によって、現場装置４に故障が生じた場合には、その現場装置４の故障情報を指令所の作業員に明確に報知できるようにしている。
【００２０】
このように構成された既設の集中監視装置１における駅装置５と伝送端末装置６との間に切替装置２が設置され、この切替装置２を介して、新設の集中監視装置３が接続され、既設の集中監視装置１用の情報が新設の集中監視装置３に転送されている。
【００２１】
すなわち、この新設の集中監視装置３は、切替装置２毎に接続された端末装置１０と、これらの端末装置１０のうちの所定の一群の端末装置１０が接続され主要な駅毎に設置された新設用の駅装置１１と、これらの駅装置１１が接続され指令所の近傍に設置された伝送中央装置１２と、この伝送中央装置１２に接続され指令所に設置された表示端末装置１３とを有している。
【００２２】
これらの切替装置２に接続される端末装置１０は、ＣＰＵ部、プログラムが格納されたＲＯＭ部、プログラムを動作させるための作業用領域であるＲＡＭ部、新設の駅装置１１との入出力を行なう駅装置用入出力部、切替装置２または機器との入出力を行なう入出力部などを有している。
【００２３】
また、後述するように既設の現場装置４に相当する新設の端末装置１０が、信号機、転てつ機、軌道回路などの信号設備を監視する装置に接続されて設けられ、新設の端末装置１０は、これらの各機器に各種の異常が生じたときに、故障情報を出力するように構成されている。なお、この現場装置４に相当する端末装置１０と切替装置２に接続される端末装置１０とは、基本的に同一な構成とされ、後者の内蔵プログラムの一部が切替装置２に接続するために改修されていることのみが異なっている。
【００２４】
この切替装置２は、図２に示すように、既設の駅装置５との入出力を行なう駅装置用入出力部１５と、この駅装置用入出力部１５に接続され所定の情報処理を行なう処理部１６と、この処理部１６に接続され既設の伝送端末装置６との入出力を行なう既設用入出力部１７と、同処理部１６に接続され新設の端末装置１０との入出力を行なう新設用入出力部１８となどを有している。
【００２５】
駅装置用入出力部１５は、この切替装置２と駅装置とを接続する回線ケーブルの接続端子に応じたコネクタ部を有し、この回線ケーブルを介して現場装置４から駅装置５を経て送出されてくる故障情報が入力されるようになっている。既設用入出力部１７および新設用入出力部１８は、同様に接続先の回線ケーブルの接続端子に応じたコネクタ部を有し、この回線ケーブルを介して各種の情報を入出力するようになっている。
【００２６】
処理部１６は、情報処理を所定に行なえる回路などを主体に構成され、既設の現場装置４から収集された故障などの各種の情報を、新設の集中監視装置３に用いられている情報形式（情報フォーマット）に変換して、新設用入出力部１８に出力するように構成されている。このように切替装置２が、その接続される機器毎に個別に専用の入出力部１７，１８を設けて、しかも接続先が要求する情報形式に変換して情報を入出力させる構成とされているので、その接続先が互いに異なる通信規格や通信方式が用いられている場合にも対応させることができる。したがって、このように現場装置４からの故障情報の伝達経路の途中に切替装置２を介在させて、新設の集中監視装置３に接続し、その送受信するために必要な情報の形式変換を行なっていることにより、既存および新設の集中監視装置１，３間で異なる情報形式の差異が吸収できるので、これらの新旧の集中監視装置１，３を並列的に接続して運用することができる。
【００２７】
切替装置２は、その動作モードが、既設の集中監視装置１または新設の集中監視装置３からの指令に基づいて、既設および新設の集中監視装置１，３に向けて受信した故障情報を送信するモニタ・モード（第１の動作モード）と、新設の集中監視装置１に向けてのみ故障情報を送信するコントロール・モード（第２の動作モード）とのいずれかを選択するように構成されている。すなわち、処理部１６により切替装置２がモニタ・モードの場合には、既設の現場装置４から発信された故障情報は、切替装置２により、既設の伝送端末装置６に向けて送出されるとともに、新設の集中監視装置３用の情報形式に変換されて新設の端末装置１０に向けて送出される。切替装置２がコントロール・モードの場合には、既設の現場装置４から発信された故障情報は、新設の集中監視装置３用の情報形式に変換されて新設の端末装置１０にのみに向けて送出される。
【００２８】
したがって、後述するように新設した集中監視装置３による監視動作の検証が行なわれた後には、切替装置２をモニタ・モードからコントロール・モードにその動作モードを切換えることにより、既設の伝送端末装置６を故障情報の伝達から遮断してから、これらの既設の伝送端末装置６から表示端末装置８までを撤去できるようにしている。このため、このように切替装置２によって、既設の集中監視装置１における伝送端末装置６から表示端末装置８までが実際に情報が伝達される信号系から切り離されるので、既設の集中監視装置１の現場装置４を用いて新設の集中監視装置３により運用されている監視業務に対してまったく影響を与えることなく、不要となったこれらの既設の伝送端末装置６から表示端末装置８までを任意にその作動を停止したり、任意の順序で撤去したりすることができる。この結果、これらの撤去計画や撤去に伴う電気設備の変更などが制約されずに済むので、撤去作業を自由かつ容易に行なうことができる。
【００２９】
なお、切替装置２がモニタ・モードの場合には、既設の集中監視装置１の表示端末８を用いて、現場装置４などに向けた指令などの制御情報が現場装置４に向けて出力されたときには、この制御情報が切替装置２に入力されると、既設用入出力部１７、処理部１６、駅装置用入出力部１５を順次、通過して、切替装置２から既設の駅装置５に向けて出力されるように構成されている。
【００３０】
処理部１６は、ある現場装置４から故障情報が入力された場合には、その後に外部から指令を受けることなく、自動的かつ独自にその現場装置４の故障が回復したかを判別する定期的な回復チェックを行なうように構成されている。すなわち、例えば故障が通知された現場装置４に対して、その故障が回復したかを問い合わせる指令信号が切替装置２から発信され、この回復チェックが、現場装置４の故障が回復するまで所定の時間間隔を設けて定期的に繰り返して行なわれる。
【００３１】
この回復チェックによって、処理部１６がその現場装置４の故障が回復したと判断して確認された場合には、この現場装置４の回復状況を記録した回復情報を作成して、この回復情報がそれぞれの入出力部１７，１８に出力され、集中監視装置１，３に通知される。
【００３２】
したがって、切替装置２が、その装置外部からの指示を待たずに、自動的に現場装置４の故障回復チェックを行なっているので、新旧の集中監視装置１，３や作業員から回復チェックの指令を受ける場合よりも、迅速な対応が可能となるとともに、新旧の集中監視装置１，３や作業員に判断処理させる負担を軽減させることができる。同様に現場装置４の故障が検知された場合に、即座に回復チェックが行なわれるので、現場装置４の回復情報を迅速に取得することが可能になる。現場装置４が故障してから復旧するまでの回復情報を作成して出力しているので、各現場装置４の故障および回復状況を把握することが可能となり、各現場装置４毎の保全管理をよりきめ細かく高度に行なうことが可能となる。
【００３３】
次に、この切替装置２を用いて、既設の集中監視装置１から新設の集中監視装置３に順次、段階的に切替える手順を説明する。
【００３４】
まず、再び図１に示すように、既に設置されている既設の集中監視装置１の駅装置５と伝送端末装置６との接続線上に切替装置２を設置するとともに、新設の集中監視装置３を構成する端末装置１０、駅装置１１、伝送中央装置１２、表示端末装置１３を所定に並列に設置する。次に、切替装置２が端末装置１０に接続され、切替装置２がモニタ・モードで作動され、新設の集中監視装置３が正常に動作しているかが検証される。
【００３５】
この検証は、例えば監視対象の現場装置４に故障が発生した状態が疑似的に作成され、この故障状態を反映した監視情報が新旧の集中監視装置１，３の両方の表示端末装置８，１３から得られるかを判別して行なわれている。すなわち、指令所において既設の表示端末８と新設の表示端末１３との両方を監視することにより、それぞれの監視情報から判別できる故障内容などが互いに一致していることが確認されて、新設の集中監視装置３による監視動作の検証が行なわれる。したがって、このように新設の集中監視装置３を動作検証する場合には、既に稼動実績のある既設の集中監視装置１の監視状況を検証の比較対照の基準としているので、検証品質の保証性を充分に確保できるとともに、検証作業をスムーズに行なうことができる。また、切替装置２の接続先を新設の集中監視装置３の端末装置１０としていることにより、この接続先が新設の集中監視装置３の伝送中央装置１２とされた場合には、その切替えが完了するまで駅装置１１と伝送中央装置１２との間の搬送回線数に３回線が必要となることに比べて、一回線で済むので、搬送回線数を増加させずに済み、切替え中も極力少ない回線数とできる。
【００３６】
次に、図３に示すように、新設の集中監視装置３による監視動作の検証を完了した後には、既設の集中監視装置１による監視業務から、既設の現場装置４を用いた新設の集中監視装置３による監視業務に移行される。すなわち、切替装置２がコントロール・モードに切換わり、故障情報の伝達方向で切替装置２よりも下流に位置する既設の伝送端末装置６、伝送中央装置７および表示端末装置８が情報の伝達系から切り離されて、撤去される。
【００３７】
したがって、この構成によれば、設置する作業状況や、工事費用の不足などの理由によって、次段階の新設用の設備が設置されなくて、装置の更新が中断した状態となった場合にも、何ら支障なく、監視業務を続けることができる。このため、弾力的な設置計画を立案することができるとともに、状況に応じた計画の変更が可能となるので、大規模な集中監視装置で長期に渡る改修工事が必要な場合でも、監視体制を維持したまま、無理なく柔軟に対処することができる。
【００３８】
これに加えて、この場合には、既存設備との連係や既存機器の活用、改修工事や設備の投資コストの削減などを図りながら、新設の集中監視装置３による監視性能の向上を図ることができる。すなわち、既に稼働した実績により信頼性が保証されているとともに、その保守条件を熟知している既設の集中監視装置１の現場装置４および駅装置５を、新設の集中監視装置３の端末装置１０として流用しているので、これらの現場装置４および駅装置５による監視の信頼度や保守性を従来と同様に保証することができる。
【００３９】
次に、図４に示すように、既設の現場装置４から新設の端末装置１０に故障を監視する条件を切替えて、新設の端末装置１０による監視業務が行なえるようにする接続作業が行なわれる。
【００４０】
すなわち、これらの既設の現場装置４に相当する端末装置１０を新たに設置し、この端末装置１０に既設の現場装置４に設定されていた故障条件を設定する。この設定された故障条件による端末装置１０の監視動作が新設の集中監視装置３によって検証されると、故障監視条件の切替えが完了される。既設の現場装置４のうち、新設の端末装置１０に切替が完了した現場装置４から、順次、撤去する。
【００４１】
したがって、本構成によれば、最初に既設の集中監視装置１における伝送端末装置６、伝送中央装置７、表示端末装置８に相当する部分を新設の集中監視装置３に入れ換えて、既設の現場装置４および新設の端末装置１０からの故障情報の表示などの処理を新設の集中監視装置３に一元化して処理していることに加えて、監視対象である既設の現場装置４を新設の端末装置１０に部分的に置き換えることを繰り返すことにより、すべての現場装置４を端末装置１０に入れ換えているので、監視業務の中断や監視作業の負担が増加することを未然に回避しながら、スムーズな切替えが可能となる。
【００４２】
すなわち、従来は、新設の集中監視装置３の監視対象の機器であるすべての端末装置１０の動作検証が行なわれてから、既設の集中監視装置１から新設の集中監視装置３に監視業務を移行していたので、この監視業務を移行する期間を短期間化するためには、集中監視装置３の動作検証を短時間に行なう必要があり、時間的な制約が生じていた。また、端末装置１０に接続される機器は、その機器が設置された場所やその動作条件が異なることから、各機器毎に実際に動作させて、その機器が故障したときの情報や動作を制御するための情報を得る必要があるので、時間と手間がかかる傾向があった。
【００４３】
これに対して、本構成によれば、既設の現場装置４からの故障情報の処理を新設の集中監視装置３に一元化するとともに、既設の現場装置４を個別に新設の端末装置１０に入れ換えているので、個々の新設の端末装置１０に、その故障を監視する条件が接続変更され設定された時点から、その端末装置１０による既設の現場装置４と代替した運用が可能となり、設置する予定の端末装置１０のうちの一部を用いながら監視業務を遂行することができる。この結果、この運用が可能となった端末装置１０にその監視対象が重なっている既設の現場装置４を即座に撤去することができるので、監視業務を行なう既設の現場装置４と新設の端末装置１０とが重複することが防止され、機器を保守・点検作業する負担を軽減することができる。
【００４４】
これに加えて、切替装置２が新旧の集中監視装置１，３との間に介在されているので、これらの既設の現場装置４と新設の端末装置１０とが互いに干渉することが回避され、既に運用されている既設の現場装置４による監視業務に影響を与えることなく、この現場装置４に相当して新たに設置される端末装置１０の独立した設定作業が可能となる。この結果、既に運用されている現場装置４と代替するために、個々の端末装置１０に故障の監視条件を設定する作業を行なっているので、この作業がその順序や時間が制約されずに済むことになり、新たな端末装置１０による監視業務の信頼性を向上できる。このため、例えば列車の運行量が大きく重点的に監視を行ないたい区域に設置されている機器や老朽化の激しい機器などのように、所定の優先順序の機器から新旧の入れ替え作業を行なうことができる。
【００４５】
最後に、図５に示すように、新設されたすべての端末装置１０に故障監視条件が設定され、既設の現場装置４から接続替えが完了された後には、新設の集中監視装置３に切替わる。すなわち、同図中に破線で示される既設の現場装置４が接続されている駅装置５と、駅装置５が接続されている切替装置２と、切替装置２が接続されている端末装置１０とが任意の順序で撤去される。
【００４６】
なお、この実施の形態では、既設の現場装置４をこの現場装置４に相当する新設の端末装置１０に入れ換えた例を説明したが、これに限られることなく、例えば既設の現場装置４に相当しない新たな端末装置を導入して増設した場合にも適用することができる。すなわち、このような新たな端末装置を設置し、新設の集中監視装置３の駅装置１１に接続し、この端末装置の動作検証を行なって集中監視装置３により管理するようにしてよい。したがって、この場合にも、新たな端末装置からの情報は、新設の集中監視装置３によって既設の現場装置４と新設の端末装置１０とからの情報とともに統合処理されて表示されるので、監視作業を煩雑化させずに済む。例えば既設の集中監視装置１が新たな路線区を追加されて管理することになり、この新たな部分にのみ新型や異なる情報形式を有した現場の機材が導入されている場合にも、この実施の形態によれば、切替装置２を介してこれらの機材を接続することにより、切替装置２によって情報の整合性を確保できるので、これらの機材を混合したまま監視業務を行なうことができる。
【００４７】
【発明の効果】
請求項１に記載の発明の方法によれば、既設の現場装置を切替装置を介して新設の集中監視装置に接続し、この現場装置を用いた新設の集中監視装置による監視動作の検証後に、既設の現場装置からの故障情報を処理する既設の駅装置、伝送端末装置、伝送中央装置、表示端末装置を撤去して、新旧の集中監視装置を入れ換えていることにより、監視対象である既設の現場装置からの情報の処理が新設の集中監視装置に一元化されているので、この情報の処理による監視業務が新設の集中監視装置に統合され、作業員による監視作業の負担を増加させずに済むとともに、集中監視装置としての構成を簡素化することができる。
【００４８】
請求項２に記載の発明の方法によれば、新旧の集中監視装置における相互に対応した現場装置と端末装置とを個別に入れ換え作業していることにより、部分的に入れ換えながら監視業務を継続することができるので、個々の端末装置毎の設定作業に時間を要したり、入れ換え数が多い場合であったりしても、監視業務を中断させることなく、スムーズな切替作業を行なうことができる。
【００４９】
請求項３に記載の発明の装置によれば、新設の集中監視装置に用いられている情報形式が既設の集中監視装置に用いられている情報形式と異なる場合にも、それに適合した情報形式に変換して供給できることにより、多種多様な新設の集中監視装置に切替装置を介して接続できるので、切替え対象となる新設の集中監視装置の情報形式が制約を受けずに済み、対応範囲を広げることができる。
【００５０】
請求項４に記載の発明の装置によれば、集中監視装置の切替え作業の進展に伴って、既設の集中監視装置における伝送端末装置、伝送中央装置、表示端末装置が不要となった場合には、切替装置を新設の中央監視装置にのみに情報を送信する動作モードに切替えることにより、これらの装置を情報の伝達系から切り離せるので、既設の伝送端末装置、伝送中央装置、表示端末装置を稼動中の集中監視装置における情報の伝達に影響を与えることなく、自由な順序で撤去することができる。
【００５１】
請求項５に記載の発明の装置によれば、切替装置がその装置外部からの指示を待たずに、自動的に現場装置の故障回復チェックを行なっているので、新旧の集中監視装置や作業員から回復チェックの指令を受ける場合よりも、迅速な対応が可能となるとともに、新旧の集中監視装置や作業員による判断処理の負担を軽減させることができる。
【００５２】
請求項６に記載の発明の装置によれば、切替装置が現場装置の故障してから復旧するまでの回復状況が記された回復情報を作成して出力しているので、各現場装置の故障および回復状況を把握することができ、各現場装置毎の保全管理をよりきめ細かく高度に行なうことが可能となる。
【図面の簡単な説明】
【図１】この発明の一実施の形態の方法による切替えが開始された第１段階を示す、既設の集中監視装置に切替装置が設けられ、この切替装置に新設の集中監視装置が設置されて接続された状態のシステム構成図である。
【図２】この発明の実施の形態の方法に用いられる切替装置のブロック構成図である。
【図３】この実施の形態の方法による第２段階を示す、既設の現場装置を用いて新設の集中監視装置による監視業務が運用されている状態のシステム構成図である。
【図４】この実施の形態の方法による第３段階を示す、既設の現場装置が、新設の端末当地に置き換えられている途中の状態のシステム構成図である。
【図５】この実施の形態の方法による第４段階を示す、既設の集中監視装置に関連する装置および切替装置が撤去されて、新設の集中監視装置が運用されている状態のシステム構成図である。
【図６】従来の切替え途中で新旧の集中監視装置が並列的に運用されている状態を示すシステム構成図である。
【符号の説明】
１　既設の集中監視装置　　　　　　　　　２　切替装置
３　新設の集中監視装置　　　　　　　　　４　既設の現場装置
５　既設の駅装置　　　　　　　　　　　　６　既設の伝送端末装置
７　既設の伝送中央装置　　　　　　　　　８　既設の表示端末装置
１０　新設の端末装置　　　　　　　　　　１１　新設の駅装置
１２　新設の伝送中央装置　　　　　　　　１３　新設の表示端末装置
１５　切替装置の駅装置用入出力部　　　　１６　切替装置の処理部
１７　切替装置の既設用入出力部　　　　　１８　切替装置の新設用入出力部
【図１】
2004034821.tif 000003
【図２】
2004034821.tif 000004
【図３】
2004034821.tif 000005
【図４】
2004034821.tif 000006
【図５】
2004034821.tif 000007
【図６】
2004034821.tif 000008